(57)【要約】【課題】円盤がロール紙の紙管直前に到達して駆動を開始するよう円盤の駆動手段を制御することにより、円盤をロール紙に連れ回りさせ、ロール紙表面のダメージを防ぎ、電力を最小限に抑えてロール紙の残量またはニヤエンドを表示する画像形成装置を提供する。【解決手段】ロール紙１に周面が爪状である円盤１０を当接し、円盤１０の周速Ｖをロール紙１の紙管２の周速Ｖ０より速く（Ｖ＞Ｖ０）回転させる駆動手段を設け、円盤１０の回転ムラを検知する検知手段を設けたロールエンド検知装置を有する画像形成装置において、画像形成装置は、円盤１０の駆動手段は、円盤１０がロール紙１の紙管直前に到達して駆動を開始する画像形成装置である。【選択図】      図５
2004217356.tif 000002
【特許請求の範囲】
【請求項１】
ロール紙を装着し、給送する給紙部と、
給紙部より送り出されたロール紙を長さに応じてカットするカット手段と、
カットされたロール紙に画像を形成する画像形成手段と、
画像形成手段により形成された画像をロール紙に定着させる定着手段と、
定着手段により定着されたロール紙を排出する排出手段と、
排出されるロール紙を積載するスタック部とを有し、
ロール紙に周面が爪状である円盤を当接し、円盤の周速Ｖをロール紙の紙管の周速Ｖ０より速く（Ｖ＞Ｖ０）回転させる駆動手段を設け、
円盤の回転ムラを検知する検知手段を設けたロールエンド検知装置を有する画像形成装置において、
画像形成装置は、円盤の駆動手段は、円盤がロール紙の紙管直前に到達して駆動を開始する
ことを特徴とする画像形成装置。
【請求項２】
ロール紙を装着し、給送する給紙部と、
給紙部より送り出されたロール紙を長さに応じてカットするカット手段と、
カットされたロール紙に画像を形成する画像形成手段と、
画像形成手段により形成された画像をロール紙に定着させる定着手段と、
定着手段により定着されたロール紙を排出する排出手段と、
排出されるロール紙を積載するスタック部とを有し、
ロール紙に周面が爪状である円盤を当接し、円盤の周速Ｖをロール紙の紙管の周速Ｖ０より速く（Ｖ＞Ｖ０）回転させる駆動手段を設け、
円盤の回転ムラを検知する検知手段を設けたロールエンド検知装置を有する画像形成装置において、
画像形成装置は、ロール紙の紙管に対する円盤の位置を検知する位置検知手段を設ける
ことを特徴とする画像形成装置。
【請求項３】
ロール紙を装着し、給送する給紙部と、
給紙部より送り出されたロール紙を長さに応じてカットするカット手段と、
カットされたロール紙に画像を形成する画像形成手段と、
画像形成手段により形成された画像をロール紙に定着させる定着手段と、
定着手段により定着されたロール紙を排出する排出手段と、
排出されるロール紙を積載するスタック部とを有し、
ロール紙に周面が爪状である円盤を当接し、円盤の周速Ｖをロール紙の紙管の周速Ｖ０より速く（Ｖ＞Ｖ０）回転させる駆動手段を設け、
円盤の回転ムラを検知する検知手段を設けたロールエンド検知装置を有する画像形成装置において、
画像形成装置は、ロール紙のセット方向に対し、退避可能な移動手段を設ける
ことを特徴とする画像形成装置。
【発明の詳細な説明】
【０００１】
【発明の属する技術分野】
本発明は、複写機、ファクシミリ、プリンター等の静電複写プロセスの画像形成装置に関する。さらに詳細には、画像を形成するロール紙の後端を検知するロールエンド検知装置を有する画像形成装置に関する。
【０００２】
【従来の技術】
従来のロール紙を用いる画像形成装置では、ロール紙を消費した結果ロール紙がなくなったことを検知するためのロールエンド検知装置が、ロール紙消費時に現れるロール紙の紙管の色を反射型のセンサで検知をするが、紙管の色が白色の紙管の場合、紙管の表面をロール紙と誤検知することがある。また、ロール紙後端が紙管から外れ、紙搬送時に反射型センサあるいはフィラー付きフォトインタラプタでロール紙後端を検知する。
【０００３】
例えば、特許文献１では、ロール紙裏面に記されているパターンを反射光を利用して検出し、ロール紙残量を認識する。まず、ある一定間隔毎にロール紙に記されているパターンの通る位置に反射光検出部を設置する。すると、ペーパー給紙時に反射型センサの光路上にパターンが通過する瞬間がある。このパターンが通過した場合、反射型センサのデータは、Ｉ／Ｏ制御部に一定の波形で入力される。Ｉ／Ｏ制御部はデータが黒である間隔を検出し、モータの回転クロック数をカウントする方法、ＣＰＵにデータレベルの切り替わる毎に信号を送る方法等により、プロッターの書き込みライン数をカウントし、ロール紙の残量を検出する給紙装置が開示されている。これにより、ロール紙の残量を正確にかつ容易に知ることをでき、ロール紙を効率よく使用でき、かつ使い勝手をよくすることができる。
また、特許文献２では、しきい値より小さいか大きいかを判断させることにより、発光受光センサをロール紙の端部に追従させて、その回転角度を角度検出器により検出して、ロール残量を計算し、発光受光センサがロール紙管の表面黒色部に当たり、受光電圧がしきい値より大きくならなくなったときを、ロールエンドと判断させるロール紙残量及びエンド検出装置が開示されている。これにより、ロール紙のエンド検出装置を用いてロール紙の残量検出をも行うことができる。
【０００４】
しかし、ロール紙後端を紙管に接着・固定されている場合、ロール紙の搬送手段（搬送ローラ）が紙管ごとロール紙を搬送し、紙管により周辺の部材を損傷してしまうなどの不具合が生じる。そのため、ロール紙に回転する円盤を当接し、円盤の周面でロール紙後端をめくる時に発生する回転ムラを検知することにより、各色紙管及びロール紙後端の固定状況にかかわらずロール紙後端を検知するロールエンド検知装置が知られている。これは、円盤はロールエンドを検知するため、ロール紙の周速より速く回転した状態でロール紙に当接して、円盤当接時常にロール紙に負荷を与えることになるので、ロール紙表面に円盤による跡が付く可能性があり、その跡による転写抜け等の異常画像が発生することがある。また、常に円盤に動力を与えるため、無駄な電力が必要で、画像形成装置のランニングコストを低減させることが困難である。
【０００５】
【特許文献１】
特開平０９−２７８２４４号公報
【特許文献２】
特開平０９−２９０９５１号公報
【０００６】
【発明が解決しようとする課題】
そこで、本発明は、円盤がロール紙の紙管直前に到達して駆動を開始するよう円盤の駆動手段を制御することにより、円盤をロール紙に連れ回りさせ、ロール紙表面のダメージを防ぎ、電力を最小限に抑えてロール紙の残量またはニヤエンドを表示する画像形成装置を提供することを課題とする。
また、ロールエンド検知手段でロール紙の紙管に対する円盤の位置を検知する検知手段を設け、ロール紙の残量またはニヤエンドを表示、警告することにより、ロール紙の交換時期を促す画像形成装置を提供することを課題とする。
また、ロールエンド検知手段でロール紙のセット方向に対し、退避可能な移動手段を設けたことにより、ロール紙セット時にロール紙よるロールエンド検知手段の破損を防止する画像形成装置を提供することを課題とする。
【０００７】
【課題を解決するための手段】
上記課題を解決するために、請求項１に記載の発明は、ロール紙を装着し、給送する給紙部と、給紙部より送り出されたロール紙を長さに応じてカットするカット手段と、カットされたロール紙に画像を形成する画像形成手段と、画像形成手段により形成された画像をロール紙に定着させる定着手段と、定着手段により定着されたロール紙を排出する排出手段と、排出されるロール紙を積載するスタック部とを有し、ロール紙に周面が爪状である円盤を当接し、円盤の周速Ｖをロール紙の紙管の周速Ｖ０より速く（Ｖ＞Ｖ０）回転させる駆動手段を設け、円盤の回転ムラを検知する検知手段を設けたロールエンド検知装置を有する画像形成装置において、画像形成装置は、円盤の駆動手段は、円盤がロール紙の紙管直前に到達して駆動を開始する画像形成装置である。
請求項２に記載の発明は、ロール紙を装着し、給送する給紙部と、給紙部より送り出されたロール紙を長さに応じてカットするカット手段と、カットされたロール紙に画像を形成する画像形成手段と、画像形成手段により形成された画像をロール紙に定着させる定着手段と、定着手段により定着されたロール紙を排出する排出手段と、排出されるロール紙を積載するスタック部とを有し、ロール紙に周面が爪状である円盤を当接し、円盤の周速Ｖをロール紙の紙管の周速Ｖ０より速く（Ｖ＞Ｖ０）回転させる駆動手段を設け、円盤の回転ムラを検知する検知手段を設けたロールエンド検知装置を有する画像形成装置において、画像形成装置は、ロール紙の紙管に対する円盤の位置を検知する位置検知手段を設ける画像形成装置である。
請求項３に記載の発明は、ロール紙を装着し、給送する給紙部と、給紙部より送り出されたロール紙を長さに応じてカットするカット手段と、カットされたロール紙に画像を形成する画像形成手段と、画像形成手段により形成された画像をロール紙に定着させる定着手段と、定着手段により定着されたロール紙を排出する排出手段と、排出されるロール紙を積載するスタック部とを有し、ロール紙に周面が爪状である円盤を当接し、円盤の周速Ｖをロール紙の紙管の周速Ｖ０より速く（Ｖ＞Ｖ０）回転させる駆動手段を設け、円盤の回転ムラを検知する検知手段を設けたロールエンド検知装置を有する画像形成装置において、画像形成装置は、ロール紙のセット方向に対し、退避可能な移動手段を設ける画像形成装置である。
【０００８】
【発明の実施の形態】
以下に、本発明の実施の形態を図面に基づいて説明する。
図１を参照し、て本発明の画像形成装置の一実施形態に係る広幅デジタル複写機の構成を説明する。
この図において、給紙部１００の上に画像形成部２００が、更に画像形成部２００の上に読取部（スキャナー部）３００が装着され、全体として画像形成装置を構成している。
【０００９】
読取部３００の原稿台３０１上に置かれた原稿を１枚ずつ読取部３００に給紙し、密着イメージセンサー（ＣＩＳ）３０２により、画像読み取り後に排紙トレイ上に排紙するように構成されている。原稿台３０１上の原稿は、図示省略のサイドフェンスにより幅方向が揃えられ、給紙ローラ３０３により給紙され、密着イメージセンサー３０２下に搬送される。原稿台３０１上には、原稿幅検知センサー及び原稿長さ検知センサーが設けられている。両センサーにより、原稿台３０１から送られる原稿のサイズを検知する。密着イメージセンサー３０２下の原稿はＬＥＤアレイや蛍光灯などの光源により露光され、反射光をロッドレンズアレイに通し、イメージセンサー上に結像させ、光電変換を行う。原稿読み取り終了後は、搬送ローラ３０４及び排紙ローラ３０５によって排紙トレイ上に排紙される。
【００１０】
画像形成部２００は作像部２０１、定着部２０２、排紙部２０３を有しており、密着イメージセンサー３０２に読み取られた画像信号は画像処理され、ＬＥＤ書込部２０４により、帯電器よって一様に帯電した感光体２０５上に静電潜像を形成する。給紙部１００から給送された記録用紙に対して原稿画像の複写を行い、その用紙は排紙部２０３を経て、画像形成部２００上面、あるいは画像形成部２００後方の排紙トレイ２０６、２０７に排出する。
【００１１】
給紙部１００は、上下２段のロール紙トレイ１０１，１０２を有している。このロール紙トレイ１０１，１０２は、装置筐体から図の左方向に引き出し可能となっており、トレイを引き出した状態でロール紙のセットやジャム処理を行うように構成されている。ロール紙トレイ１０１，１０２には、夫々２つずつロール紙をセットすることができる。紙管の周囲に巻装された各ロール紙１０３〜１０６は、一対のペーパーホルダ１０７〜１１０を介して給紙部１００にセットされる。各ロール紙に対する給紙ローラ１１１〜１１４がロール紙近傍に配設されている。各給紙ローラ１１１〜１１４により送り出されたロール紙は、トレイ前面側（図の左側）に設けられたロールカッターユニット１１５、１１６で一定の長さに切断され、画像形成部２００へと送り込まれる。このカットされて送り込まれたロール紙は、レジストローラ２０８にて作像タイミングとの同期を取り、感光体２０５に導かれ、感光体２０５上に形成された画像を転写部２０９により転写され、分離部２１０により感光体２０５から分離されて搬送ベルト２１１で定着部２０２へ導かれ、熱的に画像を定着される。画像を定着されたロール紙は、排紙部２０３をなす排紙ローラ２１２、２１３によって排紙される。排紙方向は分岐爪２１４により切り替えられ、画像形成部２００上面の排紙トレイ２０６、または画像形成部２００後方の排紙トレイ２０７となる。
【００１２】
定着部２０２と排紙ローラ２１２の間に、排紙ローラ２１２と排紙ローラ２１３の間には、排紙センサー２１５、２１６が設けてあり、この排紙センサー２１５、２１６によってロール紙が排紙部２０３にあるか否かを判別できるようになっている。
また図示は省略するが、画像形成部２００には、排紙ローラ２１２，２１３を駆動する駆動制御手段を備えるとともに、読取部３００には動作のスタート指示や、搬送するロール紙の情報であるリピートコピーや長尺通紙情報を入力するための操作部を設けてある。
【００１３】
図２又は３に示すように、ロール紙１に分離円盤１０（めくり円盤）を当接さる。分離円盤１０周面には分離爪１１のような凹凸状の形状をしており、分離円盤１０の周速（Ｖ）が、ロールエンドを迎えるロール紙１の紙管２の周速（Ｖ０）より速くなるように（Ｖ０＜Ｖ）駆動する。ロール紙１がロールエンドを迎える時、ロール紙１の最終端３が分離円盤１０に達し、ロール紙１の紙管２の周速（Ｖ０）より速い分離円盤１０は、分離円盤１０周面の分離爪１１でロール紙１の最終端３をめくりあげる。
この時、分離円盤１０は、めくりあげたロール紙により抵抗を受け、その抵抗負荷により等速回転が出来なくなる（回転ムラが発生する）。この回転ムラを、分離円盤１０の駆動手段がモータであれば、そのモータの過電流を検知することで、また分離円盤１０又は分離円盤１０を駆動する部材（ベルト、ギヤ、プーリなど）の駆動ムラをエンコーダ等で検知することで、ロールエンドを検知する。
【００１４】
図４に示すように、分離円盤１０は、ロール紙１に当接した状態でロール紙１に連れ回り（Ｖ０≧Ｖ）、図５に示すように、分離円盤１０は、ロール紙１に当接した状態で、ロール紙１の使用と共に支点１２を中心に回転しながらロール紙１の紙管２に接近する。同支点１２を持つギヤ１３は、分離円盤１０が紙管２の直前に達した時、駆動ギヤ１４と連結し、分離円盤１０、支点１２、ギヤ１３の同軸上にあるプーリ１５，１６，１７を結ぶベルト１８により、分離円盤１０が周速（Ｖ）がＶ０＜Ｖに到達し、ロールエンドを検知する。
【００１５】
また、図６に示すように、分離円盤１０は、ロール紙１に当接した状態で、ロール紙１の使用と共に支点３０を中心に回転しながらロール紙１の紙管２に接近する。駆動モータにより回転制御されており、ロール紙１の紙管２直前に駆動モータが駆動され、駆動モータの同軸上にあるモータギヤ３１と連結した支点３０の同軸上のギヤ３２を駆動し、分離円盤１０、支点３０の同軸上にあるプーリ３３，３４を結ぶベルト３５により、分離円盤１０が周速（Ｖ）がＶ０＜Ｖに到達し、ロールエンドを検知する。
図７に示すように、支点３０を中心に回転する遮蔽版４０を検知手段（センサ）４１，４２により検出し、分離円盤１０がロール紙１の紙管２対する位置を判断する。
【００１６】
図８及び表１に示すように、検知手段（センサ）４１，４２の検出有無の組み合わせ４種類により、ロール紙１の残量を８０％〜１００％、４０％〜８０％、２０％〜４０％、そしてニヤエンドと判断し、オペレーションパネルへの表示、警告を行いロール紙１の交換時期を指示する。
【００１７】
【表１】
2004217356.tif 000003
【００１８】
図９に示すように、支点３０を中心に回転するリンク５０に弾性部材５１がかかり、分離円盤１０にロール紙１が押圧すると、弾性部材５１が伸び、分離円盤１０が退避していく。
【００１９】
【発明の効果】
以上説明したように、本発明に係るロールエンド検知装置によれば、円盤がロール紙の紙管直前に到達して駆動を開始するよう円盤の駆動手段を制御するので、円盤をロール紙に連れ回りさせ、ロール紙表面のダメージを防ぎ、電力を最小限に抑えることができる。
また、本発明に係るロールエンド検知装置によれば、ロール紙の紙管に対する円盤の位置を検知する検知手段を設け、ロール紙の残量またはニヤエンドを表示、警告するので、ロール紙の交換時期を適切に促すことができる。
また、本発明に係るロールエンド検知装置によれば、ロール紙のセット方向に対し、退避可能な移動手段を設けたので、ロール紙セット時にロール紙よるロールエンド検知手段の破損を防止することができる。
【図面の簡単な説明】
【図１】本発明の画像形成装置の構成を示す概略図である。
【図２】ロール紙に分離円盤を当接した状態を示す概略図である。
【図３】ロール紙に分離円盤を当接した部分を拡大した概略図である。
【図４】分離円盤がロール紙と連れ周りしている状態を示す概略図である。
【図５】分離円盤が少なくなったロール紙と連れ周りしている状態を示す概略図である。
【図６】分離円盤が少なくなったロール紙と連れ周りして、ロールエンドを検知する状態を示す概略図である。
【図７】分離円盤が少なくなったロール紙と連れ周りして、ロールエンドを検知手段で検知する状態を示す概略図である。
【図８】図７における検知手段によりロール紙の残量を検知する状態を示す概略図である。
【図９】分離円盤が少なくなったロール紙と連れ周りして、ロールエンドを移動手段で検知する状態を示す概略図である。
【符号の説明】
１  ロール紙
２  紙管
３  最終端
１０  分離円盤
１２  支点
１３  ギア
１４  駆動ギア
１５、１６、１７  プーリ
１８  ベルト
３０  支点
３１  モータギア
３２  ギア
３３、３４  プーリ
３５  ベルト
４０  遮蔽板
４１、４２  センサ
５０  リンク
５１  弾性部材
１００  給紙部
１０１、１０２  ロール紙トレイ
１０３〜１０６  ロール紙
１０７〜１１０  ペーパーホルダ
１１１〜１１４  給紙ローラ
１１５、１１６  ロールカッターユニット
２００  画像形成部
２０１  作像部
２０２  定着部
２０３  排紙部
２０４  ＬＥＤ書込装置
２０５  感光体
２０６、２０７  排紙トレイ
２０８  レジストローラ
２０９  転写部
２１０  分離部
２１１  搬送ベルト
２１２、２１３  排紙ローラ
２１４  分離爪
２１５、２１６  排紙センサー
３００  読取部
３０１  原稿台
３０２  密着イメージセンサー
３０３  給紙ローラ
３０４  搬送ローラ
３０５  排紙ローラ
【図１】
2004217356.tif 000004
【図２】
2004217356.tif 000005
【図３】
2004217356.tif 000006
【図４】
2004217356.tif 000007
【図５】
2004217356.tif 000008
【図６】
2004217356.tif 000009
【図７】
2004217356.tif 000010
【図８】
2004217356.tif 000011
【図９】
2004217356.tif 000012